(57)【要約】二つのスクリーン機能に電子機器（１）と関連する双方向表示スクリーン（５）の共通表示領域（３５）を共有させる方法。本方法は、共通表示領域（３５）で実行すべき要求機能を自動的に判定する段階（２１）を含む。要求機能は、通常、文字筆記機能（２５）と、共通表示領域（３５）に筆記された筆記文字と関連する候補文字表示機能（２４）である。本方法は、要求機能だけを実行するため、共通表示領域（３５）を制御する段階を実行する。
2006524854.tif 000002
【特許請求の範囲】
【請求項１】
少なくとも二つのスクリーン機能に、電子機器と関連する双方向表示スクリーンの共通表示領域を共有させる方法であって、
該方法は、共通表示領域で実行すべき要求機能を自動的に判定する段階と、要求機能だけを実行するために共通表示領域を制御する段階と、を含み、要求機能がスクリーン機能の一つであることを特徴とする方法。
【請求項２】
前記スクリーン機能間に相互依存的機能関係が存在することを特徴とする請求項１に記載の方法。
【請求項３】
前記要求機能が、表示領域上に筆記された文字を装置によって獲得させる文字筆記機能であることを特徴とする請求項１に記載の方法。
【請求項４】
前記要求機能が、共通表示領域上に筆記された筆記文字と関連する候補文字表示機能であることを特徴とする請求項１に記載の方法。
【請求項５】
前記判定段階が、共通表示領域上の筆記線を感知することにより、要求機能が文字筆記機能であると自動的に判定することを特徴とする請求項１に記載の方法。
【請求項６】
前記文字筆記機能が共通表示領域に筆記文字を表示することを特徴とする請求項５に記載の方法。
【請求項７】
前記方法が、さらに、制御段階後、デフォルトしてスクリーン機能の一つになる共通表示領域を特徴とする請求項１に記載の方法。
【請求項８】
前記方法は、さらに、候補文字表示機能にデフォルトする段階を含み、候補文字表示機能が、共通表示領域に、筆記文字を同定し得る文字として、電子機器により同定された候補文字を表示することを特徴とする請求項６に記載の方法。
【請求項９】
前記デフォルト段階が、スクリーン領域上での筆記が所定の時間中止した後に生じることを特徴とする請求項８に記載の方法。
【請求項１０】
前記方法がまた、使用者に候補文字の一つから所望の文字を選択させ、所望の文字を双方向表示スクリーンの文章表示領域に表示されたテキスト内に挿入することに備えることを特徴とする請求項９に記載の方法。
【発明の詳細な説明】
【技術分野】
【０００１】
この発明は、タッチスクリーンの共通表示領域を共有する相互依存スクリーン機能に関する。本発明は、特に、必ずしも限定するものではないが、文字筆記機能と、共通表示領域を共有する相互依存候補文字表示機能に有用である。
【背景技術】
【０００２】
人間と機械間でよく使用されるインターフェースは、表示スクリーンである。このようなスクリーンは、ますます、使用者にデータを表示するための一方通行の通信に用いられるだけでなく、使用者が、例えば、タッチスクリーンを介して関連装置にデータを入力するための手段としても使用されている。
【０００３】
タッチスクリーン装置の主な成長領域の一つは、携帯電話、個人用携帯情報端末（ＰＤＡ）、汎地球測位システム（ＧＰＳ）ナビゲーターその他のような小型のハンドヘルド携帯装置においてである。これらの装置は、記号またはデータを入力するのに様々な方法、例えば、ボタン、音声認識、手書き認識バーチャルボタン（バーチャルキーボードのような）などを採用する。後者の場合において、様々なボタンがスクリーン上に出現し、スクリーンのそれらのボタンの一つに相当するポイントをタッチすることにより、相当するボタン自体があたかもタッチされたかのように装置が反応する。タッチスクリーンの構成は、当該分野において周知であり、タッチ検出は、容量性または誘導性感知または接触スイッチのような多くの周知のシステムを介して行なうことができる。
【発明の開示】
【発明が解決しようとする課題】
【０００４】
携帯ハンドヘルド電子機器が、筆記文字入力を受信するのにタッチスクリーンを使用する場合、スクリーンは、異なるスクリーン機能を実行する幾つかの領域に区切られる。これらの領域の一つは、タッチスクリーン上に筆記された文字を機器により獲得させる文字筆記機能に備える。これらの領域の別の一つは、筆記文字を同定し得る文字として電子機器により同定された候補文字をタッチスクリーン上に表示する候補文字表示機能の表示に備える。このように、スクリーン機能を幾つかの領域に区切ることにより、いくらかの不都合な制限が生じることになるかもしれない。これらの制限の一つは、携帯ハンドヘルド電子機器のタッチスクリーンが相対的に小さいので、候補文字を表示する個別の領域が少数の許容サイズの候補文字しか表示できないからである。これらのもう一つの制限は、文字筆記機能に備えた領域が使用者によっては小さくて許容できないかもしれないからである。したがって、これらの制限が少なくとも軽減されるべきであるなら、有益であろう。
【０００５】
特許請求の範囲を含むこの明細書において、用語「〜から成る、〜を具備する」、「〜から成っている、〜を具備している」は、列記の要素から成る方法または装置がそれらの要素だけを含むのではなく、列記されない他の要素もまた含むように、非限定的含有物を意味させようとするものである。
【課題を解決するための手段】
【０００６】
本発明の一つの局面に従って、少なくとも二つのスクリーン機能に電子機器と関連した双方向表示スクリーンの共通表示領域を共有させる方法を提供する。本方法は、共通表示領域において行なわれるべき、スクリーン機能の一つである要求機能を自動的に判定する段階と；要求機能のみを実行するために共通表示領域を制御する段階とを含む。
【０００７】
適切には、スクリーン機能間に相互依存的機能関係が存在する。
適切には、要求機能は、表示領域上に筆記された文字を機器により獲得させる文字筆記機能である。もう一方において、要求機能は、共通表示領域上に筆記された筆記文字と関連した候補文字表示機能である。
【０００８】
好ましくは、判定段階は、要求機能が共通表示領域上の筆記線を感知することにより、文字筆記機能であると自動的に判定する。
【０００９】
適切には、文字筆記機能は、共通表示領域に筆記文字を表示する。
適切には、本方法は、さらに、制御段階後、共通表示領域がスクリーン機能の一つにデフォルトすることを特徴とする。
【００１０】
適切には、本方法は、候補文字表示機能にデフォルトするさらに別の段階を含み、候補文字表示機能は、筆記文字を同定し得る文字として電子機器により同定された候補文字を共通の表示領域に表示する。
【００１１】
好ましくは、デフォルトは、スクリーン領域上での筆記が所定の時間中止した後に生じる。
適切には、本方法は、また、使用者に候補文字の一つから所望の文字を選択させ、所望の文字を双方向表示スクリーンの文章表示領域に表示されたテキスト内に挿入することに備える。
【発明を実施するための最良の形態】
【００１２】
本発明を容易に理解し、実際的な効果を得るために、次に、添付図面に引き当てて例示するように、好適実施例を参照することになる。
【００１３】
図面において、異なる図面上の同じ数字は、全体を通して同じ要素を示すのに使用される。図１を参照すれば、電子機器１が例示される。例示の電子機器１は、プロセッサー３と通信するために連結された無線周波通信ユニット２を具備する無線通信装置である。双方向表示スクリーンまたはタッチスクリーン５（通常、液晶表示）および採用随意のキーボード６形式の使用者インターフェースもまた、プロセッサー３と通信するために連結される。
【００１４】
プロセッサー３は、音声を符号化および復号するデータまたは電子機器１により伝達または受信され得る他の信号を格納する関連の読出し専用メモリー（ＲＯＭ）１２を備えた符号器／復号器１１を含む。プロセッサー３は、また、符号器／復号器１１と関連の文字読出し専用メモリー（ＲＯＭ）１４の両方に連結されたマイクロプロセッサー１３を含む。マイクロプロセッサー１３は、また、等速呼出しメモリー（ＲＡＭ）４と静的プログラム可能メモリー１６に連結される。静的プログラム可能メモリー１６は、他の諸特徴および諸機能中でも、番号の電話帳データベースと関連の識別子（各番号と関係する人々の名前）を格納する。
【００１５】
マイクロプロセッサー１３の補助出力は、通常、スピーカー、バイブレーターモーターおよび関連ドライバーを含む警告モジュール１５に連結される。文字読出し専用メモリー１４は、通信ユニット２により受信し、タッチスクリーン５か採用随意のキーボード６で入力し得るテキストメッセージを復号か符号化するための符号を格納する。この実施例において、文字読出し専用メモリー１４は、また、マイクロプロセッサー１３の操作符号（ＯＣ）および文字認識用文字テンプレートの一式を格納する。操作符号（ＯＣ）を使用して電子機器１でアプリケーションを実行する。
【００１６】
無線周波通信ユニット２は、共通アンテナ７を有する受信機と送信機の結合型である。通信ユニット２は、無線周波増幅器９を介してアンテナ７に連結されたトランシーバー８を有する。トランシーバー８は、また、通信ユニット２をプロセッサー３に連結する結合型変調器／復調器に連結される。
【００１７】
図２および３において、文章表示領域３３、文字筆記領域３２および候補文字表示領域３１を表示する先行技術の双方向表示スクリーン５が例示される。使用時、文字筆記領域３２は、使用者が、通常、尖筆を用いて文字を筆記できるように考慮してある。このような文字は、図２の文字筆記領域３２に筆記されたように示される。文字筆記領域３２での文字の筆記が完了すると、表示スクリーン５は、次に、候補文字表示領域３１に使用者が筆記しようとした文字の可能性がある候補文字を表示する。これは、図３に具体的に示される。
【００１８】
図２および３の両方で示されるように、この先行技術の双方向表示スクリーン５は、文字筆記領域３２と候補文字表示領域３１に対して個別の領域を有する。従って、この実施例において、表示候補文字数は６に制限され、文字筆記領域３２は相対的に小さい。これは不都合になるかもしれず、使用者は、候補文字表示領域３１に表示されるべきさらに別の候補文字を要求しなければならないかもしれない。いったん所望の文字（使用者が文字筆記領域３２に筆記しようとした文字）が候補文字表示領域３１に表示されると、使用者は、この所望の文字が表示されたスクリーンに単にタッチして所望の文字を選択してもよい。従って、文章表示領域３３に表示されたテキスト内に所望の文字を挿入することにより、選択された所望の文字が表示されることになる。
【００１９】
図４〜６を参照すれば、少なくとも二つのスクリーン機能に電子機器１と関連した双方向表示スクリーン５の共通表示領域３５を共有させる方法２０が例示される。電子機器１が候補文字表示機能段階２４を提供するように作動していると仮定すれば、共通表示領域３５を制御し、予め共通表示領域３５に筆記された筆記文字を同定し得るデフォルト候補文字、文字無しか、候補文字の表示に備える。プロセッサー３は、方法２０を制御し、試験段階２２で検出されるべき筆記操作を連続的に試験する。筆記操作は、共通表示領域３５で実行される。試験段階２２で筆記操作が検出されなければ、双方向表示スクリーン５は、候補文字表示機能段階２４を引き続き提供する。
【００２０】
共通表示領域３５において、筆記操作が試験段階２２でいったん検出されると、プロセッサー３は、方法２０を制御し、図５に具体的に示すように、文字筆記機能段階２５を実行させる。文字筆記機能の実行中、段階２５は、共通表示領域３５に筆記される筆記文字（“室は例示の筆記文字である）を機器１により獲得させ、周知の文字認識技術により処理させる。プロセッサー３は、方法２０を制御し、試験段階２３で検出されるべき筆記時間切れを連続的に試験させる。これに関して、プロセッサーが所定の時間（通常、３秒間）、共通表示領域３５に筆記を何も検出しないとき、筆記時間切れが生じる。試験段階２３で筆記時間切れが生じなければ、双方向表示スクリーン５は、文字筆記機能段階２５を提供し続ける。
【００２１】
いったん、筆記時間切れが生じ、試験段階２３により検出されると、プロセッサー３は方法２０を制御し、図６に具体的に示すように、候補文字表示機能段階２４を実行させる。候補文字表示機能段階２４になると、プロセッサー３は、次に、双方向表示スクリーン５を制御し、候補文字（文字“室”を含む）が共通表示領域３５に表示されるようにする。これらの候補文字は、共通表示領域３５に筆記された筆記文字を表示または同定し得る候補文字として、文字認識技術の一つにより同定された通常のフォント文字である。次に、使用者は、候補文字にタッチすることにより、通常フォントの狙いとする筆記文字の表示を選択することができる。いったん選択すると、通常フォントの狙いとする筆記文字（“室”）は、文章表示領域３３に別の文字で表示される。
【００２２】
従って、上記のことから、試験段階２２および２３は、組み合わせ時、共通表示領域３５で実行されるべき、スクリーン機能の一つである要求機能を自動的に判定する自動判定段階２１に備えることは明らかであろう。これらのスクリーン機能は、段階２５の文字筆記機能および段階２５中に共通表示領域上に筆記される筆記文字と関連する段階２４の候補文字表示機能である。しかも、当業者にとって明白になるように、スクリーン機能間には相互依存的機能関係が存在する。自動判定段階２１から、本方法は、段階２４か２５のいずれかの要求機能だけを実行するため、共通表示領域３５の制御に備える。
【００２３】
好都合にも、自動判定段階２１は、試験段階２２で共通表示領域上の筆記線を感知することにより、要求機能が文字筆記機能段階２５であることを自動的に判定する。方法２０は、また、段階２３で筆記時間切れが生じるか、段階２２で筆記が検出されない場合、共通表示領域３５がデフォルトして候補文字表示機能段階２４になるように備える。また、要求スクリーン機能の一つしか実行できなく、共通表示領域２５に表示できないので、共通表示領域は、拡大し、図２および３の先行技術スクリーンに示すような個別の領域３１，３２のスペースを利用することができる。従って、本発明は、先行技術と比較したとき、より多くの候補文字を同時に表示させることができる。また、共通表示領域３５は、文字をより正確に筆記できるようにした文字筆記機能を実行する、より大きな領域を考慮する。
【００２４】
詳細な説明は、好適な実施例を提供しているだけであり、本発明の範囲、適用性または形態を制限しようとするものではない。むしろ、好適実施例の詳細な説明は、当業者に本発明の好適実施例の実施を可能ならしめる説明を提供するものである。添付の特許請求の範囲に示すような本発明の精神および範囲から外れることなく、要素の機能および構成において様々な変更を行い得ることは理解されるべきである。
【図面の簡単な説明】
【００２５】
【図１】本発明に従う電子機器のブロック略図。
【図２】先行技術の双方向表示スクリーンを示す図。
【図３】さらに先行技術の双方向表示スクリーンを示す図。
【図４】少なくとも二つのスクリーン機能に図１の機器の双方向表示スクリーンの共通表示領域を共有させる方法を例示する系統線図。
【図５】図２の方法中、双方向スクリーンの動作を示す図。
【図６】図２の方法中、双方向スクリーンの動作を示す図。
【図１】
2006524854.tif 000003
【図２】
2006524854.tif 000004
【図３】
2006524854.tif 000005
【図４】
2006524854.tif 000006
【図５】
2006524854.tif 000007
【図６】
2006524854.tif 000008
【国際調査報告】
2006524854.tif 000009
2006524854.tif 000010